(57)【要約】【課題】樹脂フィルムの異方収縮が抑えられ、寸法精度の良好な樹脂スタンパが得られる微細構造転写装置を提供すること。【解決手段】表面に微細な凹凸パターンが形成された多角形状のマザースタンパ１２と、前記マザースタンパの微細な凹凸パターンを有する面１２ａに対向するように樹脂フィルム１８を挟持する挟持体２４と、を有する微細構造転写装置１０であって、前記挟持体２４は、少なくとも、前記マザースタンパの凹凸パターンを有する面１２ａの各辺の中央部乃至その近傍に対応する位置の樹脂フィルム１８の縁部１８ａを固定し、前記凹凸パターンを有する面１２ａの各頂点近傍に対応する位置の樹脂フィルム１８の縁部は固定しないことを特徴とする微細構造転写装置１０。【選択図】図１
2013018257.tif 000002
【特許請求の範囲】
【請求項１】
表面に微細な凹凸パターンが形成された多角形状のマザースタンパと、
前記マザースタンパの微細な凹凸パターンを有する面に対向するように樹脂フィルムを挟持する挟持体と、
を有する微細構造転写装置であって、
前記挟持体は、
少なくとも、前記マザースタンパの凹凸パターンを有する面の各辺の中央部乃至その近傍に対応する位置の樹脂フィルムの縁部を固定し、
前記凹凸パターンを有する面の各頂点近傍に対応する位置の樹脂フィルムの縁部は固定しないことを特徴とする微細構造転写装置。
【請求項２】
前記挟持体は、前記マザースタンパのその外周外側に設けられ且つ前記マザースタンパの微細な凹凸パターンを有する面に対して垂直方向に可動な多角形状の可動枠と、該可動枠と対向して位置する多角形状の固定枠とを含み、
前記固定は、前記固定される樹脂フィルムの縁部を前記可動枠と前記固定枠とにより挟持することにより行われることを特徴とする請求項１に記載の微細構造転写装置。
【請求項３】
前記樹脂フィルムの固定長さは、前記固定枠の各辺の固定可能長さに対して０．２以上１未満であることを特徴とする請求項２に記載の微細構造転写装置。
【請求項４】
前記樹脂フィルムの縁部は外方に延出して形成された固定部を有し、前記固定は該固定部を前記可動枠と前記固定枠とにより挟持することにより行われることを特徴とする請求項２又は３に微細構造転写装置。
【請求項５】
前記マザースタンパを有する面が四角形であることを特徴とする請求項１〜４の何れか１項に記載の微細構造転写装置。
【請求項６】
多角形状のフィルムの各辺のうち、少なくとも該各辺の中央部を含み且つ両端部を除く部分に、外方に延出して形成された延出部をそれぞれ有することを特徴とする微細構造転写用樹脂フィルム。
【請求項７】
表面に微細な凹凸パターンが形成された多角形状のマザースタンパの当該凹凸パターンを有する面に、樹脂フィルムを加熱下に押圧した後、冷却して除去する工程を含む微細構造転写方法において、
遅くとも前記冷却前に、少なくとも前記マザースタンパの凹凸パターンを有する面の各辺の中央部乃至その近傍に対応する位置の樹脂フィルムの縁部を固定し、前記凹凸パターンを有する面の各頂点近傍に対応する位置の樹脂フィルムの縁部は固定しないことを特徴とする微細構造転写方法。
【発明の詳細な説明】
【技術分野】
【０００１】
本発明は、スタンパに形成された微細な凹凸パターンを樹脂フィルムに転写する微細構造転写装置に関する。
【背景技術】
【０００２】
近年、半導体デバイス、ディスプレイ、電子ペーパー、記録メディア、バイオチップ、光デバイスなどの製造工程における微細な凹凸パターンを形成するための技術として、ナノインプリント技術が知られている。ナノインプリント技術は、従来のプレス技術と比較して、より微小な構造を実現するための微細加工の技術である。この技術自体には解像度に限界がなく、解像度はスタンパ（即ち金型）の作製精度によって決定される。したがって、高い精度のスタンパさえ作製できれば、従来のフォトリソグラフィーより容易に且つはるかに安価な装置を用いて、極微細構造を形成することが可能である。
【０００３】
インプリント技術には転写される材料により２種類に大別される。一方は、転写される材料を加熱し、スタンパ（金型）により塑性変形させた後、冷却して凹凸パターンを形成する熱インプリント技術である。もう一方は、基板上に室温で液状の光硬化性樹脂を塗布した後、光透過性のスタンパを樹脂に押し当て、光を照射させることで基板上の樹脂を硬化させ凹凸パターンを形成する光インプリント技術である。
【０００４】
インプリント技術では、パターン成形を安価に行うことができるが、マザースタンパである金型に樹脂が付着し易く、樹脂が付着した場合、その金型を補修することは極めて困難である。金型は非常に高価なため、製造全体として安価とは言えない場合が多い。
【０００５】
その理由から、２工程によるインプリント法が一般に用いられている（特許文献１）。このインプリント法は、図８（ａ）に示すように、第１工程でマザースタンパ（金型）８０の凹凸パターンが形成された表面に、加熱した熱可塑性樹脂フィルム８２を押圧した後、冷却して硬化させ、マザースタンパ８０の反転凹凸パターンが形成された樹脂スタンパ８２ａを得、次に、図８（ｂ）に示すように、第２工程でこの樹脂スタンパ８２ａを、基板８４上に塗布された光硬化性樹脂８６に押圧して紫外線等により硬化させ、基板８４上に凹凸パターン８６ａを得るというものである。
【０００６】
即ち、２工程によるインプリント法では、第１工程において熱インプリント法により樹脂スタンパ（中間スタンパ、ＩＰＳとも呼ばれる。）を作製し、第２工程においてこの樹脂スタンパを用いる光インプリント法により基板上に所定の凹凸パターンが形成される。
【０００７】
ここで、第１工程の熱インプリントに使用する微細構造転写装置として図９に示す微細構造転写装置が従来から知られている。この微細構造転写装置６０は、スタンパベース７２上に載置固定されたマザースタンパ６２と、マザースタンパ６２の微細な凹凸パターンを有する面６２ａに対して垂直方向（矢印方向）に可動な可動枠６６と、可動枠６６の上方に位置する固定枠６４とを有している。樹脂フィルム６８は、その周縁部が可動枠６６と固定枠６４によりＯリング７０を介して挟持することにより固定され、凹凸パターンを有する面６２ａに対向配置されている。
【０００８】
マザースタンパ６２に形成された凹凸パターンを樹脂フィルム６８に転写して樹脂スタンパを得るには、まず、樹脂フィルム６８をマザースタンパ６２に接するように可動枠６６により位置調整した後、樹脂フィルム６８をそのガラス転移温度以上に加熱すると共に、マザースタンパ６２に押圧する。その後、樹脂フィルム６８を冷却した後、可動枠６６を上方にリフトアップさせて樹脂フィルム６８を脱型することにより行われる。樹脂フィルム６８は一般に平面形状が矩形状のフィルムであり、その周縁部の全てが固定枠６４と可動枠６６とにより挟持されることにより固定され、転写が行われた後に固定が解除される。
【先行技術文献】
【特許文献】
【０００９】
【特許文献１】特開２００７−１６５８１２
【発明の概要】
【発明が解決しようとする課題】
【００１０】
しかしながら、加熱を行うと、樹脂フィルムが収縮してマザースタンパの設計寸法よりも全体的に小さく仕上がることがあり、樹脂フィルムへの凹凸パターンの転写精度が十分ではなかった。特に、図１０に示すように、転写前の樹脂フィルム（ａ）に比べて、転写後の樹脂フィルム（樹脂スタンパ）（ｂ）は、四辺の中央部で収縮が顕著である一方で、四隅付近では中央部ほど収縮量が大きくなく、フィルムの各領域によって収縮度が異なり、これが転写の精度に影響を及ぼしていた（以下、この現象を異方収縮と称する）。
【００１１】
したがって、本発明の目的は、樹脂フィルムの異方収縮が改善され、得られる樹脂スタンパの寸法精度が良好な微細構造転写装置を提供することにある。
【００１２】
また、本発明の目的は、その微細構造の転写に好適な樹脂フィルムを提供することにある。
【００１３】
更に、本発明の目的は、樹脂フィルムの異方収縮が改善され、得られる樹脂スタンパの寸法精度が良好な微細構造転写方法を提供することにある。
【課題を解決するための手段】
【００１４】
本発明者らは、上記異方収縮の原因について検討した結果、図１１の平面図（ａ）及び断面図（ｂ）に示すように、押圧時に樹脂フィルム６８の端部がスタンパ６２の上面より下方に位置した場合に、樹脂フィルム６８の角付近はマザースタンパ６２の角部によって拘束される（図中の○印）一方で、樹脂フィルム６８の各辺の中央部はマザースタンパ６２による拘束力は小さいため、樹脂フィルムの中心方向に大幅に収縮していることが分かった。
【００１５】
即ち、上記目的は、表面に微細な凹凸パターンが形成された多角形状のマザースタンパと、前記マザースタンパの微細な凹凸パターンを有する面に対向するように樹脂フィルムを挟持する挟持体と、を有する微細構造転写装置であって、前記挟持体は、少なくとも、前記マザースタンパの凹凸パターンを有する面の各辺の中央部乃至その近傍に対応する位置の樹脂フィルムの縁部を固定し、前記凹凸パターンを有する面の各頂点近傍に対応する位置の樹脂フィルムの縁部は固定しないことを特徴とする微細構造転写装置により達成される。
【００１６】
マザースタンパの角部によって拘束されない樹脂フィルムの縁部のみを固定することにより、転写後の樹脂フィルムの異方収縮を改善させることができ、これにより、樹脂スタンパの寸法精度を向上させることが可能となる。
【００１７】
本発明の好ましい態様は以下の通りである。
【００１８】
（１）前記挟持体は、前記マザースタンパのその外周外側に設けられ且つ前記マザースタンパの微細な凹凸パターンを有する面に対して垂直方向に可動な多角形状の可動枠と、該可動枠の上方に位置する多角形状の固定枠とを有し、
前記固定は、前記固定される樹脂フィルムの縁部を前記可動枠と前記固定枠とにより挟持することにより行われる。
（２）前記樹脂フィルムの固定長さは、前記固定枠の各辺の固定可能長さに対して０．２以上１未満である。
（３）前記樹脂フィルムの縁部は、外方に延出して形成された固定部を有し、前記固定は該固定部を前記可動枠と前記固定枠とにより挟持することにより行われる。
（４）前記多角形が四角形である。
【００１９】
また、上記目的は、多角形状のフィルムの各辺のうち、少なくとも該各辺の中央部を含み且つ両端部を除く部分に、外方に延出して形成された延出部をそれぞれ有することを特徴とする微細構造転写用樹脂フィルムによっても達成される。
【００２０】
更に、上記目的は、表面に微細な凹凸パターンが形成された多角形状のマザースタンパの当該凹凸パターンを有する面に、樹脂フィルムを加熱下に押圧した後、冷却して除去する工程を含む微細構造転写方法において、遅くとも前記冷却前に、少なくとも、前記マザースタンパの凹凸パターンを有する面の各辺の中央部乃至その近傍に対応する位置の樹脂フィルムの縁部を固定し、前記凹凸パターンを有する面の各頂点近傍に対応する位置の樹脂フィルムの縁部は固定しないことを特徴とする微細構造転写方法により達成される。
【発明の効果】
【００２１】
本発明によれば、転写時における樹脂フィルムの異方収縮が改善されため、得られる樹脂スタンパの寸法精度を向上させることが可能となる。本発明の微細構造転写装置は、特に収縮の影響を受けやすい比較的大きなサイズのインプリント用途に好適である。
【図面の簡単な説明】
【００２２】
【図１】本発明に係る微細構造転写装置の一例を示す概略断面図である。
【図２】本発明に使用する樹脂フィルムとその固定部の一例を示す平面図である。
【図３】本発明に使用する樹脂フィルムとその固定部の一例を示す平面図である。
【図４】本発明に係る微細構造転写装置の一部を示す分解概略斜視図である。
【図５】樹脂フィルムの固定長さを示す説明図である。
【図６】微細構造転写装置の他の実施の形態の一部を示す分解概略斜視図である。
【図７】実施例において樹脂フィルムの収縮量の測定箇所を示す説明図である。
【図８】２工程のインプリント法を示す概略説明図である。
【図９】従来の微細構造転写装置の概略断面図である。
【図１０】従来の樹脂フィルムの転写前（ａ）と転写後（ｂ）の概略平面図である。
【図１１】マザースタンパに樹脂フィルムを押圧した状態の平面図（ａ）及び断面図（ｂ）である。
【発明を実施するための形態】
【００２３】
以下、本発明の実施の形態を図面を参照して詳細に説明する。図１は本発明に係る微細構造転写装置の概略断面図である。この微細構造転写装置１０は、表面に微細な凹凸パターンが形成されたマザースタンパ１２と、マザースタンパ１２の凹凸パターンを有する面１２ａ（以下、スタンパ面１２ａとも称する。）に対して垂直方向（矢印方向）に可動な可動枠１６と、樹脂フィルム１８の周縁部のうち所定箇所１８ａを可動枠１６と挟持する固定枠１４とを有している。この可動枠１６と固定枠１４とにより樹脂フィルム１８を挟持するための挟持体２４が構成されている。
【００２４】
可動枠１６はマザースタンパ１２の外周外側に配置され、可動枠１６の上方に対向する位置に固定枠１４が配置されている。本実施の形態では、樹脂フィルム１８は、固定枠１４の下面にその枠に沿って取り付けられた緩衝部材としてのＯリング２０を介して、固定枠１４と可動枠１６とで上下から挟持されて固定され、これにより樹脂フィルム１８はスタンパ面１２ａに対向するように配置される。Ｏリング２０は設けなくても良いが、樹脂フィルム１８を破損させずに確実に固定するためには設けられている方が好ましい。マザースタンパ１２はスタンパベース２２に載置固定されている。
【００２５】
この微細構造転写装置１０により樹脂フィルム１８にスタンパ１２の凹凸パターンを転写するには、まず、可動枠１４を上下方向に移動させることにより樹脂フィルム１８の位置設定をした後、樹脂フィルム１８をそのガラス転移温度以上の温度に加熱した状態で、樹脂フィルム１８をスタンパ面１２ａに押圧する。次に、樹脂フィルム１８をガラス転移温度未満の温度に冷却した後、可動枠１６を上方にリフトアップして樹脂フィルム１８を脱型する。その後、樹脂フィルム１８が取り付けられている固定枠１４から凹凸パターンが転写された樹脂フィルム１８を取り外すことにより樹脂スタンパが得られる。
【００２６】
本発明に係る微細構造転写装置において特徴的なことは、挟持体２４は、少なくともマザースタンパ１２の凹凸パターンを有する面１２ａの各辺の中央部乃至その近傍に対応する位置の樹脂フィルム１８の縁部１８ａを固定し、前記凹凸パターンを有する面１２ａの各頂点（角部）近傍に対応する位置の樹脂フィルム１８の縁部は固定しないことである。
【００２７】
樹脂フィルム１８をこのように固定することにより、従来、マザースタンパの角部によって拘束されていた樹脂フィルム１８の部分は拘束されなくなるので収縮が起こる一方、中央付近は固定されて収縮が抑えられるため、角部付近と中央付近の収縮率のばらつきを抑えることができ、異方収縮が改善される。
【００２８】
また、異方収縮が改善されれば、収縮量を正確に予測することが可能になるので、事前にその予測収縮量をマザースタンパの設計に反映させることができ、得られる樹脂スタンパの寸法精度が向上する。なお、収縮は冷却及び脱型段階で起こるので、遅くとも冷却する前に上記部分を固定していればよい。
【００２９】
本発明において、マザースタンパ１２は平面形状が多角形状のものを使用する。本実施の形態では、平面形状が矩形であるマザースタンパを例として説明する。固定枠１４及び可動枠１６もそれに対応して矩形状の枠として形成されている。
【００３０】
図２は、本発明に使用する好適な樹脂フィルムとその固定部の一例を示す平面図である。この樹脂フィルム１８は、略矩形状のフィルムの各四辺のうち、その各四辺の中央部を含み且つ両端部を除く部分に、外方に延出して形成された固定部（延出部）１８ａをそれぞれ有している。この固定部１８ａを固定枠１４と可動枠１６により挟持することにより樹脂フィルム１８の固定が行われる。固定部１８ａは、辺の中央から直近の２つの角方向に均等長さ分、外方に延出形成されていることが好ましい。
【００３１】
図３は、本発明に好適な樹脂フィルムとその固定部の他の例を示す平面図である。この樹脂フィルム１８は、平面形状が八角形の樹脂フィルムであり、その八辺のうちそれぞれ互いに対向する四辺がマザースタンパ１２から平面視ではみ出している。このはみ出し部が固定枠１４と可動枠１６とで挟持される固定部１８ａとなる。なお、この例では、マザースタンパ１２のスタンパ面１２ａに対して樹脂フィルム１８が平面視で重なっている領域に、マザースタンパ１２の凹凸パターンが形成されている必要がある。
【００３２】
図４は、本実施の形態に係る微細構造転写装置の一部の分解概略斜視図である。上から順に固定枠１４、樹脂フィルム１８、可動枠１６、スタンパ１２を図示しており、樹脂フィルム１８は図２の例で示した樹脂フィルムを用いた例を示している。このように、樹脂フィルム１８の固定部１８ａが固定枠１６及び可動枠１４により挟持されることにより固定される。可動枠１４と固定枠１６はボルト等の接続手段（図示せず）で接続される。
【００３３】
ここで、樹脂フィルム１８の固定部１８ａの固定長さは、固定枠１４の各辺の固定可能長さに対して、０．２以上１未満、好ましくは０．３〜０．７５であることが好ましい。０．２未満であると、十分に樹脂フィルムを固定できなくなり、樹脂フィルムの破損が生じる場合がある。
【００３４】
固定枠１４の固定可能長さとは、図５（ａ）に示す長さＬであり、固定枠１４の中心線（破線で図示）１４ａにより形成される枠線の一辺の長さである。樹脂フィルム１８の固定長さとは、図５（ｂ）に示す長さｌであり、固定枠１４と可動枠１６とで挟持される長さである。固定部１８ａの延出幅ｗは、固定枠１４と可動枠１６とで挟持できる長さだけあればよく、例えば、辺の長さに対して１〜１０％程度である。
【００３５】
上述したように、樹脂フィルム１８は遅くとも冷却する前に上記所定箇所が固定されていればよい。そのため、加熱押圧時には周縁部を全て固定しておき、冷却直前にスタンパ面１２ａの各頂点近傍に位置する樹脂フィルム１８の縁部の固定を解除してもよい。
【００３６】
図６は、本発明の他の実施の形態を示す微細構造転写装置の一部の分解概略斜視図である。本実施の形態では、固定枠１４の各辺の中央部から下方に突出形成された突出部１５を有しており、突出部１５はその下面が樹脂フィルム１８の表面と平行に形成されている。本実施の形態に使用する樹脂フィルム１８は上述したような延出形成された固定部１８ａは有しておらず、通常の樹脂フィルムを使用する。そして、固定枠１４の突出部１５と可動枠１６とで樹脂フィルム１８を挟持することにより、突出部１５と接することとなる樹脂フィルム１８の各辺の中央部のみが固定される。突出部１５の辺方向の長さは、上記の実施の形態と同様の長さ範囲であればよく、固定枠１４の平面視中心線により形成される想定枠線の一辺の長さに対して、０．２以上１未満、好ましくは０．３〜０．７５である。
【００３７】
樹脂フィルム１８の材質としては、熱可塑性の樹脂であればどのようなフィルムでもよく、好ましくは離型性の高いフィルムを用いることが有利である。また、作製した樹脂スタンパを光インプリントに使用する場合には、透明性に優れる樹脂を使用することが好ましい。
【００３８】
具体的には、樹脂フィルムの樹脂として、ポリエチレン、ポリプロピレン、ポリ４−メチル−１−ペンテン等のポリオレフィン、ポリシクロオレフィン、ポリカーボネート、ポリメチルメタクリレート、フッ素系樹脂等が挙げられる。
【００３９】
フッ素系樹脂としては、例えば、ポリテトラフルオロエチレン、ポリフッ化ビニリデン、ポリヘキサフルオロプロピレン、テトラフルオロエチレン／ヘキサフルオロプロピレン共重合体、テトラフルオロエチレン／パーフルオロアルキルビニルエーテル共重合体等を使用することができる。
【００４０】
樹脂フィルム１８の厚さは特に限定されず、一般に５０〜１０００μｍである。樹脂フィルムの大きさは、マザースタンパ１２の微細な凹凸パターンが形成された領域よりも少なくとも大きければよい。上述した固定部１８ａを有する樹脂フィルムは、矩形状のフィルムを作製した後、角部を三角形状やＬ字状に切欠する等して作製することができる。
【００４１】
マザースタンパ１２としては一般に、ニッケル、石英等からなるスタンパを使用することができる。耐久性の点からニッケル製のスタンパを用いることが好ましい。マザースタンパ１２に形成される微細な凹凸パターンは一般にナノ〜マイクロメートルオーダーの凹凸パターンである。マザースタンパ１２の厚さは特に限定されないが、一般に０．１〜２．０ｍｍである。本実施の形態においてマザースタンパ１２は平板状に形成されている。
【００４２】
本発明に係る微細構造転写装置１０は、図示しない加熱手段を有している。加熱手段は、熱インプリント法で従来から用いられている方法であればよく、例えば、図１に示すスタンパベース２２内にヒータを設置して、マザースタンパ１２を介して加熱する方法や、熱風を送風して加熱する方法が挙げられる。加熱温度は、樹脂フィルム１８のガラス転移温度（Ｔｇ）以上の温度であればよい。具体的には、使用する樹脂フィルムによって異なるが、一般に１００〜２００℃である。
【００４３】
本発明に係る微細構造転写装置１０は、加熱により軟化した樹脂フィルムを硬化させるための冷却手段を備えていてもよい。自然に冷却させてもよいが、冷却手段によって冷却することにより、冷却に要する時間が短縮され、樹脂スタンパの生産性が向上する。冷却手段としては、冷風を送風して冷却する方法や、スタンパベース２２内に冷却媒体を流す管を設ける方法等がある。
【００４４】
本発明に係る微細構造転写装置１０は、上記加熱手段によって加熱した後又は加熱と共に、樹脂フィルム１８をマザースタンパ１２に押圧するための押圧手段（図示せず）を備えている。押圧手段は、従来から用いられている方法であればよく、例えば、樹脂フィルム１８上の空間を密閉した後、その密閉空間に、空気、二酸化炭素、窒素、アルゴン等の不活性ガス等の流体を供給することによって押圧する方法や、平板を用いて機械的に押圧する方法が挙げられる。流体により押圧することが、樹脂フィルム１８を均一に押圧することができる点で好ましい。流体により押圧する場合には、ポリエチレン等の可撓性を有する膜を樹脂フィルム１８の上面に載置して、その可撓性を有する膜の上部に耐圧性の板状部材を設けると共に膜と板状部材との間に密閉空間を形成し、その空間に流体を供給する方法等を用いることができる。押圧は、一般に、０．５〜５ＭＰａ、０．５〜１０分で行われる。
【００４５】
なお、本発明において、多角形とは、通常の多角形だけでなく、各辺と辺の延長線上に角を形成するものも含む概念であり、例えば、多角形の各頂点が円弧状や線状に切欠された形状も含む。本発明は上記実施の形態の構成に限定されるものではなく、発明の要旨の範囲内で種々の変形が可能である。上記実施の形態では、平面形状が矩形状のマザースタンパを例として示したが、多角形、特に三角形〜六角形状であってもよい。
【００４６】
以下、本発明を実施例により詳細に説明する。
【実施例】
【００４７】
＜実施例１〜３、比較例１＞
各実施例及び比較例において、図５（ｂ）に示す樹脂フィルムの固定長さｌを表１に示す各長さに変更して作製したフィルムを使用し、図１に示す微細構造転写装置を用いてそれぞれ凹凸パターンの転写を行い、樹脂スタンパを作製した。比較例１は、樹脂フィルムの周縁部を全て固定した場合の実験例である。
【００４８】
具体的には、まず、矩形状の固定枠と可動枠とで樹脂フィルムの固定部を挟持して樹脂フィルムを固定し、次に、樹脂フィルムを１６０℃に加熱して２．０ＭＰａで押圧した後、５０℃に冷却して硬化させ、脱型した。使用した樹脂フィルムは、２１０ｍｍ×２１０ｍｍ（固定部含まず）であり、厚さは１８８μｍである。また、樹脂フィルムの材質は、ポリシクロオレフィンである。使用したマザースタンパはニッケル製であり、その矩形状の面（２００ｍｍ×２００ｍｍ）に微細な凹凸パターンが形成されている。凹凸パターンは線幅２０μｍ、高さ４０μｍの正方格子状（格子部分が凸部）のパターンであり、線幅の間隔は３００μｍである。
【００４９】
＜評価方法＞
（１）異方収縮量の測定
図７に示すように、得られた樹脂スタンパの上下左右の任意のラインについてそれぞれ９点の座標（Ｘ軸、Ｙ軸）を測定し、各ラインにおける各測定ポイントのうち最大収縮点と最小収縮点の差（絶対値）を異方収縮量とした。また、上下左右の異方収縮量の平均を算出した。異方収縮量の測定にはミツトヨ社製画像測定機（型番：QV STREAM 404）を使用した。
（２）樹脂フィルムの破損の有無
得られた樹脂スタンパについて破損の有無を目視で調べた。
【００５０】
結果を表１に示す。なお、表１の固定枠の固定可能長さは図５に示すＬであり、樹脂フィルムの固定長さは図５に示すｌである。
【００５１】
【表１】
2013018257.tif 000003
【００５２】
＜評価結果＞
上記表に示されているように、樹脂フィルムの四辺の全てを固定した比較例１と比較して、固定長さをそれぞれ変更した実施例１〜３は、上下左右平均全てにおいて異方収縮量が低下していた。以上により、樹脂フィルムの上述した箇所のみを固定すれば、異方収縮が抑えられることが認められた。
【産業上の利用可能性】
【００５３】
本発明によれば寸法精度が良好な樹脂スタンパを得ることができ、これにより電子ディスプレイ、電子ペーパー等の情報表示用パネルの隔壁や電子デバイス（リソグラフィ、トランジスタ）、光学部品（マイクロレンズアレイ、導波路、光学フィルタ、フォトニックス結晶）、バイオ関連材料（ＤＮＡチップ、マイクロリアクタ）、記録媒体（凹凸パターンドメディア、ＤＶＤ）等を有利に得ることができる。
【符号の説明】
【００５４】
１０  微細構造転写装置
１２  マザースタンパ
１４  固定枠
１５  突出部
１６  可動枠
１８  樹脂フィルム
１８ａ  固定部
２０  Ｏリング
２２  スタンパベース
２４  挟持体
【図１】
2013018257.tif 000004
【図２】
2013018257.tif 000005
【図３】
2013018257.tif 000006
【図４】
2013018257.tif 000007
【図５】
2013018257.tif 000008
【図６】
2013018257.tif 000009
【図７】
2013018257.tif 000010
【図８】
2013018257.tif 000011
【図９】
2013018257.tif 000012
【図１０】
2013018257.tif 000013
【図１１】
2013018257.tif 000014